(57)【要約】【課題】任意にカップリングまたは取外し可能で、リングギア及び遊星歯車の設置が不要なサンギア駆動式倍力駆動工具を提供する。【解決手段】下段のスリーブ構造１０３で内リングギア１０２を駆動してナット１０１を締付けまたは緩めるナット駆動リング体１１１と、サンギア柱体１２１と内リングギア１０２とカップリングする遊星歯車１３１と、上部の軸柱１２８で遊星歯車１３１を回転させ、第一軸孔１２６でサンギア柱体１２１の第一突出軸状構造１２５を中で回転させ、下側は多面柱状構造１２３を呈しスタッド１４０の第一内部へ凹む多角形孔１４１とカップリングして伝動する遊星歯車のロッカーアーム台１２７と、歯端１２２を有し上側の第二内部へ凹む多角形孔１２４が操作工具に駆動され回転し、下端の第一突出軸状構造１２５が第一軸孔１２６とカップリングして操作工具により駆動可能なサンギア柱体１２１と、を備える。【選択図】図４
2011036996.tif 000002
【特許請求の範囲】
【請求項１】
任意にカップリングまたは取外し可能なサンギア駆動式倍力駆動工具であって、リングギア及び遊星歯車の設置が不要であり、個別のファスナーセット、締付ける装置、またはねじり調整装置のねじり構造を有する応用機構を、締付けたり、調整したり、取外したりすることが可能なサンギア駆動式倍力駆動工具であって、
外保護蓋（１００）、ナット駆動リング体（１１１）、遊星歯車（１３１）、遊星歯車のロッカーアーム台（１２７）及びサンギア柱体（１２１）から構成され、
前記外保護蓋（１００）は、蓋状を呈し、固定ネジ（１１５）を通して取外し可能な締付け構造で軸方向に締付けられ、または、瓶蓋状を呈し、ナット駆動リング体（１１１）の上段の外リングにねじ込まれるかまたはスナップされ、遊星歯車セットを保護し、中間に穴を開けてサンギア柱体（１２１）を駆動する工具が入れ込まれ、または前記サンギア柱体（１２１）の上軸を露出させて工具により駆動され、
前記ナット駆動リング体（１１１）は、環状構造体を呈し、上段の内リング構造は一体構造または組立方式で内リングギア（１０２）を設置することが可能であり、前記環状構造体の下段のスリーブ構造（１０３）とナット（１０１）の外側とをカップリングすることにより、前記内リングギア（１０２）が駆動されるとき、正回転または逆回転を通して、前記ナット（１０１）を締付けまたは緩め、
前記遊星歯車（１３１）は、サンギア柱体（１２１）のサンギアとカップリングし、かつ、前記ナット駆動リング体（１１１）に設置された前記内リングギア（１０２）とカップリングすることにより、インタラクト可能な遊星歯車セットの機能を構成し、
前記遊星歯車のロッカーアーム台（１２７）は、上部に１コまたは１コ以上の軸柱（１２８）を設置することにより、前記遊星歯車（１３１）を回転させ、遊星歯車のロッカーアーム台（１２７）に第１軸孔（１２６）を設置して前記サンギア柱体（１２１）の下端の第１突出軸状構造（１２５）をその中で回転させ、遊星歯車のロッカーアーム台（１２７）の下側は一体構造または組立構成で下方へ向かって延伸する多面柱状構造（１２３）を呈すことが可能であり、ねじ山（１４２）を有するスタッド（１４０）の上端面の内部へ凹む第１多角形孔（１４１）とカップリングして伝動し、
前記軸柱（１２８）及び前記遊星歯車（１３１）は１コまたは１コ以上によって構成され、  前記サンギア柱体（１２１）は、柱状構造体を呈し、上段構造は一体構造または組立方式により柱形の歯端（１２２）を構成可能であり、前記柱形の歯端（１２２）の上側は内部へ凹む第２多角形孔（１２４）を有し、または内部へ凹む前記第２多角形孔（１２４）を多面形の第２柱体（１２４’）に取り換えてもよく、操作工具を受けて駆動され回転し、サンギア柱体（１２１）の下端は一つの前記第１突出軸状構造（１２５）を有することにより、前記遊星歯車のロッカーアーム台（１２７）の前記第１軸孔（１２６）とカップリングして回転させ、任意にサンギア柱体（１２１）は分離またはカップリングする操作工具により駆動されるものを受けることが可能であり、或いは制御工具とサンギア柱体（１２１）の両者は組立構成または一体構造を呈すことが可能であり、
前記ナット駆動リング体（１１１）を通して、前記サンギア柱体（１２１）、前記遊星歯車（１３１）及び前記サンギア柱体（１２１）の駆動用工具が共同して構成されることを特徴とするサンギア駆動式倍力駆動工具。
【請求項２】
前記制御工具と前記サンギア柱体（１２１）の両者は組立構成を呈し、または一体構造を呈すことを特徴とする請求項１に記載のサンギア駆動式倍力駆動工具。
【請求項３】
前記サンギア柱体（１２１）の内部へ凹む前記第２多角形孔（１２４）に代えて、多面形の前記第２柱体（１２４’）を用いることが可能であることを特徴とする請求項１に記載のサンギア駆動式倍力駆動工具。
【請求項４】
前記サンギア柱体（１２１）に設置する前記第１突出軸状構造（１２５）と前記遊星歯車のロッカーアーム台（１２７）に設置する前記第１軸孔（１２６）は、逆の構造型態にすることも可能であって、前記サンギア柱体（１２１）に第２軸孔（１２５’）を設置し、前記遊星歯車のロッカーアーム台（１２７）に第２突出軸状構造（１２６’）を設置してもよく、前記第２軸孔（１２５’）と前記第２突出軸状構造（１２６’）とは互いにカップリングして、回転可能であることを特徴とする請求項１に記載のサンギア駆動式倍力駆動工具。
【請求項５】
操作において、前記多面柱状構造（１２３）に代えて、前記遊星歯車のロッカーアーム台（１２７）の下側に製作または組立方式により内部へ凹む多角孔を有するスリーブ構造（１２３’）を用いることが可能であり、前記ねじ山（１４２）を有する前記スタッド（１４０）の上端と相対して製作した多面柱体の第１柱体（１４１’）とカップリングして伝動することを特徴とする請求項１に記載のサンギア駆動式倍力駆動工具。
【請求項６】
前記操作工具はドライバーを選択することが可能であり、前記スタッド（１４０）の内部へ凹む前記第１多角形孔（１４１）及び／または前記サンギア柱体（１２１）の内部へ凹む前記第２多角形孔（１２４）に代えて、ドライバーのワーク端の形状とカップリングする溝槽によって構成されることが可能であることを特徴とする請求項１に記載のサンギア駆動式倍力駆動工具。
【請求項７】
人力により駆動し、または流体モータまたは機械力または電動モータにより前記操作工具を駆動し、前記サンギア柱体（１２１）を駆動することにより、さらに前記内リングギア（１０２）により前記ナット駆動リング体（１１１）を駆動し、また遊星歯車セットの減速倍数により倍力効果をもたらし、前記ナット（１０１）を動かして前記スタッド（１４０）の前記ねじ山（１４２）にねじ込むことにより、締付けまたは緩めることが可能であることを特徴とする請求項１に記載のサンギア駆動式倍力駆動工具。
【請求項８】
サンギア駆動式倍力駆動工具に駆動されるスタッド構造の前記スタッド（１４０）の根部端は、構造体（２００）に溶接されてもよく、前記ナット（１０１）を前記スタッド（１４０）にねじ込むことにより、被固定体（３００）を締付けまたは緩め、前記スタッドが工具の末端に、一つの内部へ凹む前記第１多角孔または前記第１多角形柱体を有することを特徴とする請求項１から７のいずれか一項に記載のサンギア駆動式倍力駆動工具。
【請求項９】
サンギア駆動式倍力駆動工具に駆動されるスタッド構造の前記スタッド（１４０）の根部端は、スタッド構造が構造体（２００）のネジ穴にねじ込まれ、前記ナット（１０１）を前記スタッド（１４０）にねじ込むことにより、被固定体（３００）を締付けまたは緩め、前記スタッドが工具の末端に、一つの内部へ凹む前記第１多角孔または前記第１多角形柱体を有することを特徴とする請求項１から７のいずれか一項に記載のサンギア駆動式倍力駆動工具。
【請求項１０】
サンギア駆動式倍力駆動工具に駆動されるスタッド構造であって、前記スタッド（１４０）の根部端が構造体（２００）を貫通してもよく、他端はスタッド用ナットを有し、また前記構造体（２００）に結合され、前記ナット（１０１）を前記スタッド（１４０）にねじ込むことにより、被固定体（３００）を締付けまたは緩め、前記スタッドが工具の末端に、一つの内部へ凹む前記第１多角孔または前記第１多角形柱体を有することを特徴とする請求項１から７のいずれか一項に記載のサンギア駆動式倍力駆動工具。
【請求項１１】
サンギア駆動式倍力駆動工具に駆動されるスタッド構造であって、前記スタッド（１４０）の根部端が構造体（２００）を貫通してもよく、また他端は回転制限スクエアスタッド・ボルトヘッドを有し、また構造体（２００）に結合され、前記ナット（１０１）を前記スタッド（１４０）にねじ込むことにより、被固定体（３００）を締付けまたは緩め、前記スタッドが工具の末端に、一つの内部へ凹む前記第１多角孔または前記第１多角柱体を有することを特徴とする請求項１から７のいずれか一項に記載のサンギア駆動式倍力駆動工具。
【請求項１２】
サンギア駆動式倍力駆動工具に駆動されるスタッド構造の前記スタッド（１４０）の根部端は、構造体（２００）と被固定体（３００）の間を貫通してもよく、前記ナット（１０１）を前記スタッド（１４０）の両端にねじ込むことにより、被固定体（３００）を締付けまたは緩め、前記スタッドが工具の末端に、一つの内部へ凹む前記第１多角孔または前記第１多角形柱体を有することを特徴とする請求項１から７のいずれか一項に記載のサンギア駆動式倍力駆動工具。
【請求項１３】
外部が多角形構造を呈し、内部に前記スタッド（１４０）の前記ねじ山（１４２）へねじ込む内ねじ山（１１２）を有するナット（１０１）と、
前記ねじ山（１４２）を有し、頭部は更に内部へ凹む前記第１多角形孔（１４１）または多面形の第１柱体（１４１’）を有する構造を呈すスタッド（１４０）と、
を備えるファスナー装置を駆動可能であることを特徴とする請求項１に記載のサンギア駆動式倍力駆動工具。
【請求項１４】
前記スタッド（１４０）の頭部の内部へ凹む前記第１多角形孔（１４１）に代えて、多面形の前記第１柱体（１４１’）を用いることが可能であり、多面形の前記第１柱体（１４１’）を選択するとき、多面形の前記第１柱体（１４１’）とカップリングする前記多面柱状構造（１２３）も同時に内部へ凹む多角形のスリーブ構造（１２３’）に変更し、多面形の前記第１柱体（１４１’）を駆動することを特徴とする請求項１３に記載のサンギア駆動式倍力駆動工具。
【発明の詳細な説明】
【技術分野】
【０００１】
本発明は、サンギア駆動式倍力駆動工具に関する。
【背景技術】
【０００２】
従来、サンギア駆動式ファスナーセットはリングギアをナットに設置し、及び遊星歯車をボルトに設置し、ファスナーセットを一件一件に遊星歯車セット構造を設置する。
【発明の概要】
【発明が解決しようとする課題】
【０００３】
従来のサンギア駆動式ファスナーセットは、リングギアをナットに設置し、かつ遊星歯車をボルトに設置し、ファスナーセットに遊星歯車セット構造を一件一件に設置し、各ファスナーセットにギアセットを設置するために、製造コストは比較的高い。
本発明は、製造コストを削減することの可能なサンギア駆動式倍力駆動工具を提供することを目的とする。
【課題を解決するための手段】
【０００４】
本発明のサンギア駆動式倍力駆動工具は、任意にカップリングまたは取外し可能なサンギア駆動式倍力駆動工具であって、リングギア及び遊星歯車の設置が不要で、個別のファスナーセット、締付ける装置、ねじり調整装置等のねじり構造を有する応用機構を締付けたり、調整したり、取外したりする一対多の方式により、製造コストを削減する。
具体的に、本発明は、外保護蓋１００、ナット駆動リング体１１１、遊星歯車１３１、遊星歯車のロッカーアーム台１２７及びサンギア柱体１２１から構成され、
外保護蓋１００は、蓋状を呈し、固定ネジ１１５を通して取外し可能な締付け構造で軸方向に締付けられ、または、瓶蓋状を呈し、ナット駆動リング体１１１の上段の外リングにねじ込まれるかまたはスナップされ、遊星歯車セットを保護し、中間に穴を開けてサンギア柱体１２１を駆動する工具が入れ込まれ、またはサンギア柱体１２１の上軸を露出させて工具により駆動され、
ナット駆動リング体１１１は、環状構造体を呈し、上段の内リング構造は一体構造または組立方式で内リングギア１０２を設置することが可能であり、環状構造体の下段のスリーブ構造１０３とナット１０１の外側とをカップリングすることにより、内リングギア１０２が駆動されるとき、正回転または逆回転を通して、ナット１０１を締付けまたは緩め、
遊星歯車１３１は、サンギア柱体１２１のサンギアとカップリングし、かつ、ナット駆動リング体１１１に設置された内リングギア１０２とカップリングすることにより、インタラクト可能な遊星歯車セットの機能を構成し、
遊星歯車のロッカーアーム台１２７は、上部に１コまたは１コ以上の軸柱１２８を設置することにより、遊星歯車１３１を回転させ、遊星歯車のロッカーアーム台１２７に第１軸孔１２６を設置してサンギア柱体１２１の下端の第１突出軸状構造１２５をその中で回転させ、遊星歯車のロッカーアーム台１２７の下側は一体構造または組立構成で下方へ向かって延伸する多面柱状構造１２３を呈すことが可能であり、ねじ山１４２を有するスタッド１４０の上端面の内部へ凹む第１多角形孔１４１とカップリングして伝動し、
軸柱１２８及び遊星歯車１３１は１コまたは１コ以上によって構成され、
サンギア柱体１２１は、柱状構造体を呈し、上段構造は一体構造または組立方式により柱形の歯端１２２を構成可能であり、柱形の歯端１２２の上側は内部へ凹む第２多角形孔１２４を有し、または内部へ凹む第２多角形孔１２４を多面形の第２柱体１２４’に取り換えてもよく、操作工具を受けて駆動され回転し、サンギア柱体１２１の下端は一つの第１突出軸状構造１２５を有することにより、遊星歯車のロッカーアーム台１２７の第１軸孔１２６とカップリングして回転させ、任意にサンギア柱体１２１は分離またはカップリングする操作工具により駆動されるものを受けることが可能であり、或いは制御工具とサンギア柱体１２１の両者は組立構成または一体構造を呈すことが可能であり、
ナット駆動リング体１１１を通して、サンギア柱体１２１、遊星歯車１３１及びサンギア柱体１２１の駆動用工具が共同して構成されることを特徴とする。
【図面の簡単な説明】
【０００５】
【図１】本発明の第１実施形態によるサンギア駆動式倍力駆動工具のナット駆動リング体上面の断面図である。
【図２】本発明の第１実施形態によるサンギア駆動式倍力駆動工具の中心線を含む断面図である。
【図３】本発明の第１実施形態によるサンギア駆動式倍力駆動工具の底面図である。
【図４】本発明の第１実施形態によるサンギア駆動式倍力駆動工具を示す分解斜視図である。
【図５】本発明の第１実施形態の変形例を示す分解斜視図である。
【図６】図５の中心線を含む断面図である。
【図７】本発明の第２実施形態によるサンギア駆動式倍力駆動工具を示す分解斜視図である。
【図８】図７の中心線を含む断面図である。
【図９】本発明の第２実施形態の変形例を示す分解斜視図である。
【図１０】図９の中心線を含む断面図である。
【図１１】本発明の第３実施形態によるサンギア駆動式倍力駆動工具におけるサンギア柱体及び遊星歯車のロッカーアーム台の他の実施形態を示す分解斜視図である。
【図１２】本発明の第１〜第３実施形態によるサンギア駆動式倍力駆動工具に駆動されるスタッドと構造体及び被固定体との構造の第１例を示す模式図である。
【図１３】本発明の第１〜第３実施形態によるサンギア駆動式倍力駆動工具に駆動されるスタッドと構造体及び被固定体との構造の第２例を示す模式図である。
【図１４】本発明の第１〜第３実施形態によるサンギア駆動式倍力駆動工具に駆動されるスタッドと構造体及び被固定体との構造の第３例を示す模式図である。
【図１５】本発明の第１〜第３実施形態によるサンギア駆動式倍力駆動工具に駆動されるスタッドと構造体及び被固定体との構造の第４例を示す模式図である。
【図１６】本発明の第１〜第３実施形態によるサンギア駆動式倍力駆動工具に駆動されるスタッドと構造体及び被固定体との構造の第５例を示す模式図である。
【発明を実施するための形態】
【０００６】
以下、本発明の実施形態を図面に基づいて説明する。
従来、サンギア駆動式ファスナーセットは、リングギアをナットに設置し、かつ遊星歯車をボルトに設置し、ファスナーセットの一件一件に遊星歯車セット構造を設置するために、製作コストが比較的高い。これに対し、本発明の一実施形態によるサンギア駆動式倍力駆動工具は、任意にカップリングまたは取外し可能なサンギア駆動式倍力駆動工具を通して、リングギア及び遊星歯車の設置が不要で、個別ファスナーセット、締付ける装置、ねじり調整装置等のねじり構造を有する応用機構を締付けたり、調整したり、取外したりする一対多の方式により、設置コストを削減する。
【０００７】
（第１実施形態）
図１に本発明の第１実施形態によるサンギア駆動式倍力駆動工具のナット駆動リング体上面を断面とする断面図を示す。
図２に本発明の第１実施形態によるサンギア駆動式倍力駆動工具の中心線を含む縦断面図を示す。
図３に本発明の第１実施形態によるサンギア駆動式倍力駆動工具の底面図を示す。
図４に本発明の第１実施形態によるサンギア駆動式倍力駆動工具を示す分解斜視図を示す。
図１〜図４に示すように、本発明の第１実施形態によるサンギア駆動式倍力駆動工具は、下記のファスナー装置を駆動する。
ナット１０１は、外部が多角形構造を呈し、内部にスタッド１４０のねじ山１４２がねじ込まれる内ねじ山１１２を有する。
スタッド１４０は、ねじ山１４２を有し、さらにスタッド１４０の頭部は更に内部へ凹む第１多角形孔１４１または多面形の第１柱体１４１’を有する構造を呈す。
【０００８】
（変形例）
上述したスタッド１４０の頭部の内部へ凹む第１多角形孔１４１に代えて、多面形の第１柱体１４１’を用いることが可能である。図５に図１〜図４の内部へ凹む多角形孔１４１に代えて、多面形の第１柱体１４１’を用いる本発明の第１実施形態の変形例を示す。第１柱体１４１’を選択するとき、第１柱体１４１’とカップリングする多面柱状構造１２３も同時に内部へ凹む多角形のスリーブ構造１２３’に変更し、多面形の柱体１４１’を駆動するものと接続される。図６に、図５における多面形の柱体１４１’を組み付けた断面図を示す。
【０００９】
（第２実施形態）
図７に本発明の第１実施形態によるサンギア駆動式倍力駆動工具にねじ込み式保護蓋を設けた第２実施形態の分解斜視図を示す。
図８に図７の縦断面図を示す。
【００１０】
本発明の第２実施形態によるサンギア駆動式倍力駆動工具は下記の構成を備える。
外保護蓋１００は、蓋状を呈し、取外し可能な締付け構造を軸方向に締付け、瓶蓋状の外保護蓋をナット駆動リング体１１１の上段の外リングにねじ込むかまたはスナップする。上述した外保護蓋１００の内側に遊星歯車セットを保護し、外保護蓋の中央に穴を開け、サンギア柱体１２１を駆動する工具を入れ込み、またはサンギア柱体１２１の上軸を露出させ、工具により駆動される。
【００１１】
ナット駆動リング体１１１は、環状構造体を呈し、その上段の内リング構造は一体構造または組立方式で内リングギア１０２を設置することが可能である。その環状構造体の下段のスリーブ構造１０３とナット１０１の外側とをカップリングすることにより、内リングギア１０２が駆動されるとき、正回転または逆回転を通して、ナット１０１を緩めるかまたは締付ける。
【００１２】
遊星歯車１３１は、サンギア柱体１２１のサンギアとカップリングし、かつ、ナット駆動リング体１１１を設置した内リングギア１０２とカップリングすることにより、インタラクト可能な遊星歯車セットの機能を構成する。
図９に示すように、遊星歯車のロッカーアーム台１２７の上部に、１コまたは１コ以上の軸柱１２８を設置することにより、遊星歯車１３１を回転させ、遊星歯車のロッカーアーム台１２７に第１軸孔１２６を設置し、サンギア柱体１２１の下端の第１突出軸状構造１２５をその中で回転させ、遊星歯車のロッカーアーム台１２７の下側は一体構造または組立構成で下方へ向かって延伸する多面柱状構造１２３を呈すことが可能であり、ねじ山１４２を有するスタッド１４０の上端面の内部へ凹む第１多角形孔１４１とカップリングして伝動する。
上述した軸柱１２８及び遊星歯車１３１は１コまたは１コ以上によって構成される。
【００１３】
サンギア柱体１２１は、図７及び図８に示すように、柱状構造体を呈し、その上段構造は一体構造または組立方式により柱形の歯端１２２を構成することができ、柱形の歯端１２２の上側は内部へ凹む第２多角形孔１２４を有する。また、図９及び図１０に示すように、内部へ凹む第２多角形孔１２４を多面形の第２柱体１２４’に取り換えてもよく、操作工具を受けて駆動され回転する。サンギア柱体１２１の下端は一つの第１突出軸状構造１２５を有することにより、遊星歯車のロッカーアーム台１２７の第１軸孔１２６とカップリングして回転させ、サンギア柱体１２１は分離または任意にカップリングする操作工具による駆動を受けることができ、或いは制御工具とサンギア柱体１２１の両者は組立構成または一体構造を呈することが可能である。
上述したナット駆動リング体１１１を通して、サンギア柱体１２１、遊星歯車１３１及びサンギア柱体１２１の駆動用工具が共同して、本発明の第２実施形態によるサンギア駆動式倍力駆動工具を構成する。
【００１４】
（変形例）
前述した本発明の第２実施形態によるサンギア駆動式倍力駆動工具のサンギア柱体１２１の内部へ凹む第２多角形孔１２４に代えて、多面形の第２柱体１２４’を用いることが可能であり、図９に多面形の第２柱体１２４’を用いる図を示す。図１０に第２多面形の柱体１２４’を設置した断面図を示す。
【００１５】
（第３実施形態）
前述した第１、第２実施形態によるサンギア駆動式倍力駆動工具のサンギア柱体１２１に設置する第１突出軸状構造１２５と遊星歯車のロッカーアーム台１２７に設置する第１軸孔１２６とは、逆の構造型態にすることも可能である。図１１に本発明の第３実施形態によるサンギア柱体１２１に第２軸孔１２５’を設置し、遊星歯車のロッカーアーム台１２７に第２突出軸状構造１２６’を設置する第３実施形態を示す。第２軸孔１２５’と第２突出軸状構造１２６’とは、互いにカップリングして、回転することができる。
【００１６】
前述した第３実施形態によるサンギア駆動式倍力駆動工具は、その操作はまた多面柱状構造１２３に代えて、上述した遊星歯車のロッカーアーム台１２７の下側に製作または組立方式により内部へ凹む多角孔を有するスリーブ構造１２３’を用いることが可能であり（図５参照）、ねじ山１４２を有するスタッド１４０の上端と相対して製作した第１多面柱体１４１’とカップリングして伝動する。
前述した複数の実施形態によるサンギア駆動式倍力駆動工具の操作工具は、ドライバー（ＤＲＩＶＥＲ）を選択することが可能であり、スタッド１４０の内部へ凹む第１多角形孔１４１及び／またはサンギア柱体１２１の内部へ凹む第２多角形孔１２４に代えて、ドライバーのワーク端の形状とカップリングする溝槽によって構成されることが可能である。
【００１７】
サンギア駆動式倍力駆動工具は、人力により駆動し、または流体モータまたは機械力または電動モータにより操作工具を駆動し、サンギア柱体１２１を駆動することにより、さらに内リングギア１０２を有するナットによりリング体１１１を駆動する。また遊星歯車セットの減速倍数により倍力効果をもたらし、ナット１０１を動かしてスタッド１４０のねじ山１４２にねじ込むことにより、締付けまたは緩めることが可能である。
【００１８】
上述した複数の実施形態によるサンギア駆動式倍力駆動工具により駆動するナット１０１とスタッド１４０の間に、防震Ｏ−リングワッシャの配置を選択するか、または直接スタッド１４０のねじ山１４２にねじ込むことができ、スタッド１４０の根部端を下記のいずれかにすることが可能である。
（１）スタッド１４０を構造体２００に溶接し、ナット１０１をスタッド１４０にねじ込むことにより、被固定体３００を締付けまたは緩める。その特徴はスタッドが工具の末端に、一つの内部へ凹む第１多角孔または第１多角形柱体を有することである。図１２に本発明の実施形態のスタッド１４０が構造体２００に溶接されている図を示す。
【００１９】
（２）スタッド１４０をスタッド構造により構造体２００のネジ穴にねじ込み、ナット１０１をスタッド１４０にねじ込むことにより、被固定体３００を締付けまたは緩める。その特徴はスタッドが工具の末端に、一つの内部へ凹む第１多角孔または第１多角形柱体を有することである。図１３に本発明の実施形態のスタッド１４０が構造体２００のネジ穴にねじ込まれている図を示す。
【００２０】
（３）スタッド１４０が構造体２００を貫通し、他端はスタッド用ナットを有し、また構造体２００に結合し、ナット１０１をスタッド１４０にねじ込むことにより、被固定体３００を締付けまたは緩める。その特徴はスタッドが工具の末端に、一つの内部へ凹む第１多角孔または第１多角形柱体を有することである。図１４に本発明の実施形態のスタッド１４０が構造体を貫通し、また他端は別のナットを有する図を示す。
【００２１】
（４）スタッド１４０が構造体２００を貫通し、他端は回転制限スクエアスタッド・ボルトヘッドを有し、また構造体２００に結合し、ナット１０１をスタッド１４０にねじ込むことにより、被固定体３００を締付けまたは緩める。その特徴はスタッドが工具の末端に、一つの内部へ凹む第１多角孔または第１多角柱体を有することである。図１５に本発明の実施形態のスタッド１４０が構造体２００を貫通し、また他端は回転制限スクエアスタッド・ボルトヘッドを有する図を示す。
【００２２】
（５）スタッド１４０が構造体２００と被固定体３００の間を貫通し、ナット１０１をスタッド１４０の両端にねじ込むことにより、被固定体３００を締付けまたは緩める。その特徴はスタッドが工具の末端に、一つの内部へ凹む第１多角孔または第１多角形柱体を有することである。図１６に本発明の実施形態のスタッド１４０の両端にナット１０１が設置されている図を示す。
【００２３】
操作工具を駆動し、サンギア柱体１２１及び／またはスタッド１４０に対して、下記の一種または一種以上を含む駆動方式の操作を駆動する。（１）正転方向または逆転方向の回転を駆動することが可能である。（２）往復駆動されるとき、その中の一つの駆動方向に駆動作用をもたらし、また他方向は駆動作用をもたらさないよう単方向に駆動する。（３）往復駆動されるとき、その中の一つの駆動方向に駆動作用をもたらすように選択し、また他方向は駆動作用をもたらさないよう単方向に駆動することが可能である。
【００２４】
本発明の複数の実施形態によるサンギア駆動式倍力駆動工具において、サンギア柱体１２１が突出する多面形の第２柱体１２４’または内部へ凹む第２多角形孔１２４を有し、及び／またはスタッド１４０頭部が内部へ凹む第１多角形孔１４１または突出した多面形の第１柱体１４１’を有するが、その駆動工具には非常に多くの種類があり、下記に数種類の方式を挙げ、ただしそれに限定されることはなく、カップリング方式は下記の一種または一種以上によって構成されることが可能である。
【００２５】
（１）サンギア柱体１２１は任意にＴ形またはＬ形柄の駆動工具とカップリングすることができる。
（２）サンギア柱体１２１とＴ形またはＬ形柄の駆動工具は、組立式構造または一体構造を呈すことを含む。
（３）サンギア柱体１２１と任意にカップリングする駆動工具、組立式駆動工具、または一体構造の駆動工具は、Ｔ形またはＬ形柄は彎曲の角度を調整し、または全方向の角度が調整可能の関節構造を含む。
【００２６】
（４）サンギア柱体１２１は内部へ凹む第２多角形孔１２４を有することにより、相対してカップリングする駆動工具の駆動方式を受け、上記はレンチセットで動かし、または回転駆動装置に駆動されることを含む。
（５）サンギア柱体１２１は突出多面形を有することにより、相対してカップリングする駆動工具の駆動方式を受け、上記はレンチセットで動かし、または回転駆動装置に駆動されることを含む。
【００２７】
本発明の複数の実施形態によるサンギア駆動式倍力駆動工具において、サンギア柱体１２１及び／またはスタッド１４０を駆動する駆動工具は、各種のソケットレンチ、またはオープンエンドレンチ、またはシールレンチ、または六角レンチ等の駆動工具を使用する以外に、駆動工具も更に一歩進んで下記の一種または一種以上を含む機能装置の駆動工具を有することが可能である。例えば、（１）駆動のトルク限界（ｔｏｒｑｕｅ  ｌｉｍｉｔ）がある機能装置、（２）必要な駆動のトルク限界を調整・設定できる機能装置、（３）駆動のトルク限界を表示するアナログまたはデジタル表示付き機能装置、（４）駆動のトルク限界状態を表示する音響または語音装置、（５）駆動のトルク限界状態を表示するランプシグナル装置、である。
【符号の説明】
【００２８】
１００：保護蓋
１０１：ナット
１０２：内リングギア
１０３：スリーブ構造
１１１：ナット駆動リング体
１１２：内ねじ山
１１５：固定ネジ
１２１：サンギア柱体
１２２：柱形の歯端
１２３：多面柱状構造
１２３’：スリーブ構造
１２４：第２多角形孔
１２４’：第２柱体
１２５：第１突出軸状構造
１２５’：第２軸孔
１２６：第１軸孔
１２６’：第２突出軸状構造
１２７：ロッカーアーム台
１２８：軸柱
１３１：遊星歯車
１４０：スタッド
１４１：第１多角形孔
１４１’：第１柱体
１４２：ねじ山
【図１】
2011036996.tif 000003
【図２】
2011036996.tif 000004
【図３】
2011036996.tif 000005
【図４】
2011036996.tif 000006
【図５】
2011036996.tif 000007
【図６】
2011036996.tif 000008
【図７】
2011036996.tif 000009
【図８】
2011036996.tif 000010
【図９】
2011036996.tif 000011
【図１０】
2011036996.tif 000012
【図１１】
2011036996.tif 000013
【図１２】
2011036996.tif 000014
【図１３】
2011036996.tif 000015
【図１４】
2011036996.tif 000016
【図１５】
2011036996.tif 000017
【図１６】
2011036996.tif 000018
【外国語明細書】
2011036996.tif 000019
2011036996.tif 000020
2011036996.tif 000021
2011036996.tif 000022
2011036996.tif 000023
2011036996.tif 000024
2011036996.tif 000025
2011036996.tif 000026
2011036996.tif 000027
2011036996.tif 000028
2011036996.tif 000029
2011036996.tif 000030
2011036996.tif 000031
2011036996.tif 000032
2011036996.tif 000033
2011036996.tif 000034
2011036996.tif 000035
2011036996.tif 000036
2011036996.tif 000037
2011036996.tif 000038
2011036996.tif 000039
2011036996.tif 000040
2011036996.tif 000041